【事件の表示】
　特願２００４−１０３７９「有機ＥＬディスプレイの駆動方法」
拒絶査定不服審判事件
〔平成１６年８月１２日出願公開、特開２００４−２２６９７７〕について次のとおり審決する。
【結　論】
　本件審判の請求は、成り立たない。
【理　由】
【第１−手続経緯の概要】
　本件出願手続及び本件審判請求手続の概要は、次のとおりである。
平成１６年　１月１９日：本件出願
　　　　　　　　　　　　　パリ条約優先日：平成１５年１月１７日
　　　　　　　　　　　　韓国優先基礎出願：ＫＲ２００３−３３１０
平成１８年１２月２０日：審査請求
平成２２年　５月１１日：拒絶理由の通知（起案日：同年４月２７日）
平成２２年　７月２１日：意見・補正
平成２２年　８月１７日：拒絶理由の通知（起案日：同年同月３日）
平成２２年１０月１９日：意見・補正
平成２２年１２月　７日：拒絶理由の通知（起案日：同年１１月３０日）
平成２３年　２月２１日：意見・補正
平成２３年　４月１９日：拒絶査定の謄本送達（起案日：同年同月１４日）
平成２３年　８月　３日：本件審判請求 
　
【第２−本願発明】
　本件出願の請求項１に係る発明（以下、「本願発明」という）は、平成２３年２月２１日付け補正により補正された特許請求の範囲の請求項１に記載されたとおりの次のものであると認める。
（本願発明） 
「ディスプレイパネルを駆動するための駆動部及び電源部を有する有機ＥＬディスプレイの駆動方法であって、
　外部環境の光の照度を感知して、その感知された光を電気信号に変換するＡ段階と、
　前記電気信号をアナログ信号からデジタル信号に変換するＢ段階と、
　前記デジタル信号に変換された電気信号の値と第１基準値を比較するＣ段階と、
　前記Ｃ段階で電気信号の値が第１基準値より小さければ、第１及び第２モードを選択するＤ−１段階と、
　前記Ｃ段階で電気信号の値が第１基準値より大きければ、第３及び第４モードを選択するＤ−２段階と、
　前記Ｄ−１段階以後、ディスプレイ装置が現在使用中であるかを判断して、その判断結果、前記ディスプレイ装置が現在未使用中である場合は、第１モードを選択し、選択された第１モードにしたがってディスプレイパネルの輝度を制御するＥ−１段階と、
　前記Ｄ−１段階以後、ディスプレイ装置が現在使用中であるかを判断して、その判断結果、前記ディスプレイ装置が現在使用中であれば、第２モードを選択し、選択された第２モードにしたがってディスプレイパネルの輝度を制御するＥ−２段階と、
　前記Ｄ−２段階以後、ディスプレイ装置が現在使用中であるかを判断して、その判断結果、前記ディスプレイ装置が現在未使用中である場合は、第１モードを選択し、選択された第１モードにしたがってディスプレイパネルの輝度を制御するＦ−１段階と、
　前記Ｄ−２段階以後、ディスプレイ装置が現在使用中であるかを判断して、その判断結果、前記ディスプレイ装置が現在使用中であれば、前記Ｄ−２段階での電気信号の値と第２基準値を比較するＦ−２段階と、
　前記Ｆ−２段階で電気信号の値が第２基準値より小さければ、前記第３モードを選択し、選択された第３モードにしたがってディスプレイパネルの輝度を制御するＧ−１段階と、
　前記Ｆ−２段階で電気信号の値が第２基準値より大きければ、前記第４モードを選択し、選択された第４モードにしたがってディスプレイパネルの輝度を制御するＧ−２段階とを含み、
　前記第１モードは、前記ディスプレイパネルが室内または夜間の室外にあるとき使用され、
　前記第２モードは、前記ディスプレイパネルが明るい室内または雨の降る室外にあるとき使用され、
　前記第３モードは、前記ディスプレイパネルが曇りや陰った室外にあるとき使用され、
　前記第４モードは、前記ディスプレイパネルが光の照度が高くなるところにあるとき使用される
ことを特徴とする有機ＥＬディスプレイの駆動方法。」 
　
【第３−原査定の拒絶の理由の概要−容易想到性】
　原査定の拒絶の理由の概要は、本願発明が、本件出願の優先日前に日本国内において頒布された刊行物である特開２０００−１６３０１６号公報（以下、「引用文献１」という）と特開２００１−１００６９７号公報（以下、「引用文献２」という）に記載された発明に基づいて、本件出願の優先日前に本件出願の発明の属する技術の分野における通常の知識を有する者が容易に発明をすることができたものであるから、特許法第２９条第２項の規定により特許を受けることができないというものである。
　
【第４−引用文献１に記載された事項−引用発明１】
（４−１−引用文献１に記載された事項）
　引用文献１には、次のことが記載されている。
「（当審注：書誌事項及び【要約】等の記載は省略）・・・
【発明の名称】自己発光素子の駆動装置及び方法
・・・
【特許請求の範囲】
・・・
【請求項９】
  外部環境の光の強度を感知して、感知した光の強度を電気的信号に変換する自己発光素子の駆動方法において、ディスプレイ装置を使用しているかどうかを検査するステップと；前記検査結果や前記変換した電気的信号によって、設定されていた駆動電流／電圧を変換するための制御信号を出力するステップと；前記出力した制御信号によって、駆動電流／電圧を線形的な駆動電流レベルと駆動電圧レベルから設定して出力するステップと；前記設定した駆動電流レベル及び実際の駆動電圧レベルによって、ディスプレイ装置の発光輝度を自動に調節するステップとを含むことを特徴とする自己発光素子の駆動方法。
【請求項１０】
　前記検査の結果、ディスプレイ装置が未使用中であれば、既設定された最小の駆動電流／電圧に変換する制御信号を出力するステップと；前記出力した制御信号によって、最小の駆動電流／電圧に対応する最小の駆動電流レベル及び最小の実際の駆動電圧レベルを設定して、その設定値で前記ディスプレイ装置を駆動するステップとを含むことを特徴とする請求項９に記載の自己発光素子の駆動方法。
【請求項１１】
　外部環境の光の強度を感知して、感知した光の強度を電気的信号に変換する自己発光素子の駆動方法において、ディスプレイ装置を使用しているかどうかを検査するステップと；前記検査結果によって、前記変換した電気的信号と既設定の基準値とを比較して、駆動電流／電圧による駆動モードを選択した後、これに従う駆動モード制御信号を出力するステップと；前記出力した駆動モード制御信号によって、駆動電流のレベル及び駆動電圧による実際の駆動電圧のレベルを設定するステップと；前記設定した駆動電流レベル及び実際の駆動電圧レベルによって、ディスプレイ装置の発光輝度を自動に調節するステップとを含むことを特徴とする自己発光素子の駆動方法。
【請求項１２】
  前記駆動モード制御信号を出力するステップは、前記検査の結果、ディスプレイ装置が未使用中であれば、駆動電流及び実際の駆動電圧を最小値に設定する第１駆動モードを選択して、前記ディスプレイ装置の発光輝度を調節するステップと；前記検査の結果、ディスプレイ装置が使用中であれば、前記変換した電気的信号と予め定めれている第１基準値とを比較するステップと；前記比較の結果によって第２ないし第４駆動モードを選択するステップとを含むことを特徴とする請求項１１に記載の自己発光素子の駆動方法。
【請求項１３】
  前記第２ないし第４駆動モードを選択するステップは、前記比較の結果、前記変換した電気的信号が第１基準値より小さければ、第２駆動モードを選択するステップと；前記比較の結果、前記変換した電気的信号が第１基準値より大きければ、前記変換した電気的信号と第２基準値とを比較し、第２基準値より小さければ第３駆動モードを、大きければ第４駆動モードを選択するステップとを含むことを特徴とする請求項１１に記載の自己発光素子の駆動方法。
【請求項１４】
  前記第１駆動モードは室内或いは夜間の室外で使用されるモードであり、前記第２駆動モードは明るい室内或いは雨の室外で使用されるモードであり、前記第３駆動モードは外部環境の光の弱い時に使用されるモードであり、前記第４駆動モードは外部環境の光の強い時に使用されるモードであることを特徴とする請求項１１に記載の自己発光素子の駆動方法。
【請求項１５】
  前記第１ないし第４駆動モードは、階段状、または外部環境の変化に従って線形的に変わる形態により設定されることを特徴とする請求項１１に記載の自己発光素子の駆動方法。
【請求項１６】
  外部環境の光の強度を感知して、感知した光の強度を電気的信号に変換する自己発光素子の駆動方法において、ディスプレイ装置を使用しているかどうかを検査するステップと；前記検査の結果、ディスプレイ装置が未使用中であれば、駆動電流及び実際の駆動電圧を最小値である第１駆動モードを選択して、前記ディスプレイ装置の発光輝度を調節するステップと；前記検査の結果、ディスプレイ装置が使用中であれば、前記変換した電気的信号と予め定めれている第１基準値とを比較するステップと；前記比較の結果、前記変換した電気的信号が第１基準値より小さければ、第２駆動モードを選択するステップと；前記比較の結果、前記変換した電気的信号が第１基準値より大きければ、前記変換した電気的信号と第２基準値とを比較し、第２基準値より小さければ第３駆動モードを、大きければ第４駆動モードを選択するステップと；前記選択された駆動モードによって、駆動電流のレベル及び駆動電圧による実際の駆動電圧のレベルを設定するステップと；前記設定された駆動電流レベル及び実際の駆動電圧レベルによって、ディスプレイ装置の発光輝度を自動に調節するステップとを含むことを特徴とする自己発光素子の駆動方法。
【請求項１７】
  前記第１ないし第４駆動モードは、階段状、または外部環境の変化に従って線形的に変わる形態により設定されることを特徴とする請求項１６に記載の自己発光素子の駆動方法。
【発明の詳細な説明】
【０００１】
【発明の属する技術分野】
　本発明は自己発光素子に関するもので、特に、自己発光素子の駆動装置及び方法に関する。
【０００２】
【従来の技術】
　一般的に自己発光素子は電気またはその他のエネルギーの注入時に自ら光りを発する素子であって、有機ＥＬまたは有機発光ダイオド、無機発光ダイオド、無機ＥＬ、電界効果ディスプレイ（field effect display）、プラズマディスプレイパネルなど様々な種類がある。
【０００３】
　このような自己発光素子は、その特性上、外部の照度が低いほど視認性が良くなり、逆に、外部の照度が高い場合、例えば、日差しの強い屋外環境などでは視認性が良くない。
【０００４】
　したがって、一般的な自己発光素子は、ディスプレイ装置の発光輝度をステップ的に変化させる多数の調節スイッチを有しているか、連続的に変化させる調節ノブを有していて、外部環境に応じて適宜、使用者は調節スイッチや調節ノブを使用してディスプレイ装置の発光輝度を調節した。しかし、この場合は、使用者が使用環境によってディスプレイ装置の発光輝度を直接調節しなければならないので、不便であるだけでなく、時間且つ効果面でメリットがなかった。
【０００５】
　このような問題を解決するため、従来には光センサーを用いて外部環境の明るさを感知してディスプレイの発光輝度を自動的に調節できるような方法が提案された。この方法は、自己発光素子ではない液晶表示装置（ＬＣＤ）のバックライトの明るさの調節に適用されていた概念であって、光センサーで外部環境の明るさを感知して、その明るさによってバックライトに印加する電力を調節して、ディスプレイ装置の発光輝度を自動調節した。
【０００６】
　すなわち、外部環境が暗い場合、光センサで感知した外部環境の光の強度が基準値以下であるかどうかを判断して、基準値以下であれば、バックライトに加える電力を基準値より増加させ、ディスプレイ装置の発光輝度を高くする。また、外部環境が明るい場合は、バックライトに印加される電力を基準値より減少させ、ディスプレイ装置の発光輝度を低くすることで、発光輝度を自動調節した。この方法は、ディスプレイ装置の発光輝度を自動的に調節するため、消耗電力を減らすことができるだけでなく、使用上の不便を解消しているが、外部環境の明るさの程度によってバックライトの電力を調節するので、ユーザーの視野が不安定となり、目の疲れを感じやすい。
【０００７】
　すなわち、ディスプレイ装置の発光輝度の自動調節時、ディスプレイ装置の発光輝度が低すぎるときはイメージや情報文字などが区別できず、ディスプレイ装置の発光輝度が高すぎるときは眩しい。
【０００８】
【発明が解決しようとする課題】
　本発明は上記のような問題点を解決するためになされたものであって、外部環境の変化に従って駆動電圧／電流を制御し、ディスプレイ装置の発光輝度を自動的に調節できる自己発光素子の駆動装置及び方法を提供することが目的である。
【０００９】
【課題を解決するための手段】
　上記の目的を達成するための本発明の自己発光素子の駆動装置の特徴は、外部光を検出する光信号変換部とディスプレイ装置を備えた自己発光素子の駆動装置であって、ディスプレイ装置を使用しているかどうかを表す信号及び前記光信号変換部から変換した信号によって、設定されていた駆動電流／電圧を変換する制御信号を出力する制御部と；制御部から出力した制御信号によって、駆動電流／電圧を同時に変化させ、ディスプレイ装置の発光輝度を自動的に調節するとともに、電力消耗を最適に設定する駆動部とを含んでいる。
【００１０】
　上記の目的を達成するための本発明の自己発光素子の駆動装置の他の特徴は、ディスプレイ装置を使用しているかどうかを表す信号及び光信号変換部から変換した信号によって、駆動電流／電圧に対応する複数の駆動モードのうち一つを選択した後、それに従う駆動モード制御信号を出力する制御部と；制御部から出力した駆動モード制御信号によって、ディスプレイ装置に印加される駆動電流／電圧を同時に変換させ、ディスプレイ装置の発光輝度を自動に調節するとともに、電力消耗を最適に設定するような駆動部とを含んでいる。
【００１１】
　制御部はディスプレイ装置を使用しているかどうかを表す信号及び光信号変換部から変換した信号によって、駆動電流／電圧に対応する複数の駆動モードのうち一つを選択する駆動モード選択部を含むことを特徴とする。
【００１２】
　駆動部は、制御部の駆動モード制御信号によって駆動電流を制御する駆動電流制御部と；制御部の駆動モード制御信号によって、実際の駆動電圧を制御する駆動電圧制御部と；駆動電圧制御部から出力した制御信号に対応する実際の駆動電圧を発生する駆動電圧発生部と；駆動電流制御部から出力した駆動電流と駆動電圧発生部から発生した実際の駆動電圧とによってディスプレイ装置を駆動し、発光輝度を調節するドライバとを含む。
【００１３】
　上記の目的を達成するための本発明の自己発光素子の駆動方法の特徴は、外部環境の光の強度を感知して、感知した光の強度を電気的信号に変換する自己発光素子の駆動方法であって、ディスプレイ装置を使用しているかどうかを検査するステップと；その検査結果や変換した電気的信号によって、設定されていた駆動電流／電圧を変換する制御信号を出力するステップと；出力した制御信号によって、設定されていた駆動電流／電圧を線形的な駆動電流レベル及び線形的な実際の駆動電圧レベルから選択したレベルに設定するステップと；設定した線形的な駆動電流レベル及び線形的な実際の駆動電圧レベルによって、ディスプレイ装置の発光輝度を自動に調節するステップとを含むことを特徴とする。
【００１４】
　前記検査ステップの結果、ディスプレイ装置が未使用中であれば、最小の駆動電流／電圧に変換するための制御信号を出力するステップと；出力した制御信号によって、最小の駆動電流／電圧に対応する最小の駆動電流レベル及び最小の実際の駆動電圧レベルを設定してディスプレイ装置を駆動するステップとを含むことを特徴とする。
【００１５】
　上記の目的を達成するための本発明の自己発光素子の駆動方法の他の特徴は、外部環境の光の強度を感知して、感知した光の強度を電気的信号に変換する自己発光素子の駆動方法であって、ディスプレイ装置を使用しているかどうかを検査するステップと；その検査結果によって、変換した電気的信号と設定してある基準値とを比較して、駆動電流／電圧による駆動モードを線形的に選択した後、これに従う駆動モード制御信号を出力するステップと；出力した駆動モード制御信号によって、駆動電流のレベル及び駆動電圧による実際の駆動電圧のレベルを設定するステップと；前記設定した駆動電流レベル及び実際の駆動電圧レベルによって、ディスプレイ装置の発光輝度を自動に調節するステップとを含むことである。
【００１６】
　駆動モード制御信号を出力するステップは、検査の結果、ディスプレイ装置が未使用中であれば、駆動電流及び実際の駆動電圧を最小値に設定する第１駆動モードを選択して、ディスプレイ装置の発光輝度を調節するステップと；検査の結果、ディスプレイ装置が使用中であれば、変換した電気的信号と予め定めれている第１基準値とを比較するステップと；比較の結果によって第２ないし第４駆動モードを選択するステップとを含むことを特徴とする。
【００１７】
　前記第２ないし第４駆動モードを選択するステップは、比較の結果、変換した電気的信号が第１基準値より小さければ、第２駆動モードを選択するステップと；比較の結果、変換した電気的信号が第１基準値より大きければ、変換した電気的信号と第２基準値とを比較し、第２基準値より小さければ第３駆動モードを、大きければ第４駆動モードを選択するステップとを含むことを特徴とする。
【００１８】
　上記の目的を達成するための本発明の自己発光素子の駆動方法の他の特徴は、外部環境の光の強度を感知して、感知した光の強度を電気的信号に変換する自己発光素子の駆動方法であって、ディスプレイ装置を使用しているかどうかを検査するステップと；検査の結果、ディスプレイ装置が未使用中であれば、駆動電流及び実際の駆動電圧を最小値に設定して第１駆動モードを選択して、ディスプレイ装置の発光輝度を調節するステップと；検査の結果、ディスプレイ装置が使用中であれば、変換した電気的信号と予め定めれている第１基準値とを比較するステップと；比較の結果、変換した電気的信号が第１基準値より小さければ、第２駆動モードを選択するステップと；比較の結果、変換した電気的信号が第１基準値より大きければ、変換した電気的信号と第２基準値とを比較し、第２基準値より小さければ第３駆動モードを、大きければ第４駆動モードを選択するステップと；選択された駆動モードによって、駆動電流のレベル及び駆動電圧による実際の駆動電圧のレベルを設定するステップと；設定された駆動電流レベル及び実際の駆動電圧レベルによって、ディスプレイ装置の発光輝度を自動に調節するステップとを含むことである。
【００１９】
　第１ないし第４駆動モードは、階段状、または外部環境の変化に従って線形的に変わる形態により設定されることを特徴とする。本発明は外部環境の変化に従って駆動電圧と駆動電流を線形的に制御して、ディスプレイ装置の発光輝度を自動的に調節することにより、ユーザーの目に安定的で、視認性がよいだけでなく、電力の消耗を減らせるような効果が得られる。
【００２０】
【発明の実施の形態】
　以下、本発明に従う自己発光素子の駆動装置及び方法の好ましい実施形態を添付図面に基づき説明する。図１は本発明の自己発光素子の駆動装置の一実施形態を示す図面であって、外部環境に変化に従って光りの強さを感知する光センサー１と、光センサー１で感知した信号を電気的信号に変換する光信号変換部２と、パネル５の使用しているかどうかを表す信号と光信号変換部２から変換した信号によって、設定されていた駆動電流／電圧を変換するための制御信号を出力する制御部３と、制御部３から出力した制御信号によって駆動電流／電圧を同時に変化させ、発光輝度を自動に調節するとともに電力消耗を最適に設定する駆動部４と、駆動部４から出力した駆動電流／電圧によって発光輝度が調節されると同時に、電力消耗の最適となる文字、数字及び図形などをディスプレイするパネル５とを含む。
【００２１】
　図２は本実施形態の自己発光素子の駆動方法の一実施形態を示すフローチャートである。
【００２２】
　図３は本発明の自己発光素子の駆動装置を示す他の実施形態を示す図面であり、制御部３と駆動部４の詳細構成を示す。図示のように、制御部３はディスプレイ装置を使用しているかどうかを表す信号と、光信号変換部２から変換した信号による最適の駆動電流及び駆動電圧に対応する駆動モードを選択する駆動モード選択部３ａとを含む。また、駆動部４は制御部３の駆動モード制御信号によって駆動電流を制御する駆動電流制御部４ａと、制御部３の駆動モード制御信号によって実際の駆動電圧を制御する駆動電圧制御部４ｂと、駆動電圧制御部４ｂから出力した制御信号に対応する実際の駆動電圧を発生する駆動電圧発生部４ｃと、駆動電流制御部４ｂから出力した駆動電流と駆動電圧発生部４ｃから発生した実際の駆動電圧とによってパネル５を駆動して、発光輝度を調節するドライバ４ｄとを含む。図４は本発明の自己発光素子の駆動方法の他の実施形態を示すフローチャートである。
【００２３】
　以下、このように構成された本発明の自己発光素子の駆動装置および方法を添付図面に基づき詳細に説明する。まず、光センサー１は外部環境の変化に応じた光の強さを感知して出力する。すると、光信号変換部２は光センサー１で感知した信号を電気的信号に変換して出力する。
【００２４】
　これによって、制御部３は現在パネルを使用しているかどうかと外部環境とを考慮して、駆動に必要な最適の駆動電圧／電流を選択するための制御信号を出力する。最適の駆動電圧／電流を設定するためには、表示装置を使用しているかどうかと外部環境に従って線形的に変化する駆動電圧および駆動電流のレベルを設定するように制御したり、使用しているかどうかと外部環境に従って階段形態でモードを区分し、各モード別に最適の駆動電圧および駆動電流のレベルを設定したりする。ここでは、前者の場合に対する制御方法を説明する。パネル５を使用しているかどうかを検査して、パネル５が未使用であれば、設定されていた駆動電流／電圧を最小値の駆動電流および最小値の実際の駆動電圧に変換するための制御信号を出力する（Ｓ１）。
【００２５】
　駆動部４は制御部３から出力した制御信号によって、駆動電流／電圧を最小値の駆動電流および最小値の実際の駆動電圧に設定した後、それに対応する駆動信号を出力する（Ｓ２，Ｓ３）。これに従って、パネル５は駆動部４から出力した駆動信号によって、最小値の駆動電流および実際の駆動電圧が同時に調節され、電力消耗の最適となる文字、数字および図形などをディスプレイする（Ｓ４）。駆動電流および駆動電圧の調節は制御部３から出力した制御信号によって線形的に最適の電流および電圧レベルを持つように成される。
【００２６】
　一方、制御部３は検査の結果、パネル５が使用中であれば、光信号変換部２から変換した電気的信号によって、駆動電流をそれに対応する駆動電流に線形的に変換する制御信号を出力する（Ｓ５〜Ｓ７）。
【００２７】
　また、制御部３は光信号変換部２から変換した電気的信号によって、設定されている駆動電圧をそれに対応する実際の駆動電圧に線形的に変換するための制御信号を出力する（Ｓ８）。それに従って、駆動部４は制御部３から出力した制御信号によって、設定されている駆動電流をそれに対応する駆動電流レベルに調整し、設定されている駆動電圧をそれに対応する実際の駆動電圧レベルに調整した後、パネル５の電力消耗を最適にする駆動信号を出力する（Ｓ３）。すると、パネル５は駆動部４から出力した駆動信号によって駆動電流及び駆動電圧が同時に調節され、電力消耗の最適となる文字、数字および図形などを自動にディスプレイする（Ｓ４）。
【００２８】
　このようにすることで、必要以上に電力を消耗せずに、適切な視認性を維持できる。このような機能を携帯電話のような携帯型電子製品に用いればさらに効果的である。
【００２９】
　図３は本発明の自己発光素子の駆動装置の他の実施形態を示す図面であり、制御部３と駆動部４の詳細構成を示す。これを参照して、本発明の自己発光素子の駆動装置の他の実施形態に対して説明すると次の通りである。まず、図３に示すように、光センサー１は外部環境の変化に従う光の強度を感知して出力する。すると、光信号変換部２は光センサー１から感知した信号を電気的信号に変換して出力する。
【００３０】
　制御部３は、ディスプレイ装置を使用しているかどうかを表す信号と光信号変換部２から変換した信号によって、駆動に必要な最適の駆動電流／電圧を階段状に設定した複数の駆動モードを有し、入力された光信号変換部の信号によってその入力信号に対応する駆動モード制御信号を出力する。すなわち、制御部３内の駆動モード選択部３ａから、ディスプレイ装置を使用しているかどうかを表す信号と光信号変換部２から変換した信号によって、駆動電流／電圧に対応する駆動モードが選択されると、制御部３はそれに従う駆動モード制御信号を出力する。
【００３１】
　駆動モードを分けて制御する場合は、線形的に駆動電圧および電流レベルを調節する場合に比べ制御がより簡単である。本発明ではディスプレイ装置を使用しているかどうかを表す信号と外部環境によって、４ステップに分けて駆動モードを設定したものを実施形態と挙げているが、使用環境に従って駆動モードの数を調節するように構成することもできる。
【００３２】
　駆動モード選択部３ａには最適の駆動電流／電圧を選択するために、多数の駆動モードに対して設定された条件（つまり、第１駆動モード時に６Ｖ電圧と１０μ電流、第２駆動モード時に９Ｖ電圧と１００μ電流、第３駆動モード時に１２Ｖ電圧と３５０μ電流、および第４駆動モード時に１５Ｖ電圧と５００μ電流など）が記憶されている。本実施形態では、第１ないし第４の４つの駆動モードが設定されているが、より細分化してより多くの駆動モードとすることもできる。
【００３３】
　第１駆動モードは暗い室内あるいは夜間の室外の場合に使用されるモードであり、第２駆動モードは明るい室内あるいは雨の室外の場合に使用されるモードであり、第３駆動モードは曇っていたり陰のある室外の場合に使用されるモードであり、第４駆動モードは日差しが強いときに使用されるモードである。駆動部４は制御部３から出力した駆動モード制御信号によって、設定されている駆動電流／電圧による実際の駆動電圧を出力する。
【００３４】
　図３に示す駆動部４の駆動電流制御部４ａは、制御部３の駆動モード制御信号によって駆動電流を制御する。駆動電圧制御部４ｂは、制御部３の駆動モード制御信号に応じて実際の駆動電圧を制御する信号を出力する。例えば、駆動電圧制御部４ｂは制御部３の駆動モード制御信号によって、実際の駆動モードの電圧を発生するように駆動電圧を制御する。ここで、設定されている駆動電圧とは異なる実際の駆動電圧を制御する理由は、電流により駆動する自己発光素子で昇圧した電圧を使用するので、昇圧時の電圧効率を向上させるためである。すると、駆動電圧発生部４ｃは駆動電圧制御部４ｂから出力した制御信号に対応する実際の駆動電圧を発生する。自己発光素子は有機電界発光素子、無機電界発光素子、無機発光ダイオド、電界効果ディスプレイなどである。
【００３５】
　ドライバ４ｄは、駆動電流制御部４ｂ（当審注：「４ａ」の誤記と認める）から出力した駆動電流および駆動電圧発生部４ｃから発生した実際の駆動電圧によってパネル部５を駆動し、外部環境の光の強度に従って線形的に発光輝度を調節する。このようにして、必要以上に電力を消耗せずに、適切な視認性を維持できるようになる。
【００３６】
　図４は本発明の自己発光素子の駆動方法の他の実施形態を示すフローチャートである。以下、これを参照して、本発明の自己発光素子の駆動方法の他の実施形態を説明する。まず、制御部３は自己発光素子のディスプレイ装置を使用しているかどうかを検査して、使用していなければ最小値の駆動電流／電圧、すなわち、第１駆動モードに設定して、第１駆動モードによる駆動モード制御信号を出力する（ＳＴ１）。すると、駆動部４は制御部３が出力した駆動モード制御信号によって、その第１駆動モードによる最小値の駆動電流および最小値の駆動電圧に対応する実際の駆動電圧を出力する（ＳＴ２）。
【００３７】
　すなわち、駆動部４の駆動電流制御部４ａは制御部３の駆動モード制御信号によって、第１駆動モードによる最小値の駆動電流を制御する。そして、駆動電圧制御部４ｂは制御部３の駆動モード制御信号によって、第１駆動モードによる最小値の駆動電圧に対応する実際の駆動電圧を制御する信号を出力する。すると、駆動電圧発生部４ｃは駆動電圧制御部４ｂから出力した制御信号によって、第１駆動モードに対応する実際の駆動電圧を発生する。これに従って、ドライバ４ｄは、駆動電流制御部４ｂから出力した駆動電流および駆動電圧発生部４ｃから発生した第１駆動モードによる実際の駆動電圧によって、パネル部５を駆動電流／電圧が最小値の第１駆動モードで駆動する（ＳＴ３，ＳＴ４）。
【００３８】
　次に表示装置が使用中である場合、光センサー１は外部環境の変化に従う光の強度を感知して出力する（ＳＴ５）。光信号変換部２は光センサー１が感知した光の強度をそれに対応する電気的信号に変換して出力する（ＳＴ６）。制御部３はその変換した電気的信号が予め定めれている第１基準値より大きいか否かを検査する（ＳＴ７）。
【００３９】
　比較の結果、予め定めれている第１基準値より変換した電気的信号が大きくなければ、制御部３内の駆動モード選択部３ａは第２駆動モードを選択する。次いで、制御部３は第２駆動モードによる駆動モード制御信号を出力する（ＳＴ８）。ここで、光センサー１は室内外または昼夜間を区別できないため、制御部３内の駆動モード選択部３ａは外部の照度のみを測定し、設定した基準値と比較して、各モードのうちある一つのモードを選択する。
【００４０】
　この際、システム自体に内装された時計やまたは外部から入力される信号によって視覚を認識できるように設計する場合は、昼夜間の区別が可能であり、視覚による制御も可能となる。もちろん、このような駆動モードの区分は一例であり、応用に応じて多様な駆動モードの分類が可能であろう。
【００４１】
　また、各駆動モードにおいて自己発光素子のパネルは、電力が印加される限り、常に、或いは必要な場合にのみ発光することができる。
【００４２】
　例えば、第１および第２駆動モードの場合は常にパネルを発光するようにして、第３および第４駆動モードの場合には、画面を見る必要のある場合にのみ一定の時間パネルを発光するようにする。したがって、必要以上に電力を消耗せずに適切な視認性を維持できる。このような機能を携帯電話のような携帯形電子製品に利用するとさらに効果的である。すると、駆動部４は制御部３から出力した駆動モード制御信号によって設定された第２駆動モードによる駆動電流及び駆動電圧に対応する実際の駆動電圧を出力する（ＳＴ９，ＳＴ１０）。
【００４３】
　すなわち、駆動部４内の駆動電流制御部４ａは制御部３の駆動モード制御信号によって、第２駆動モードによる駆動電流を制御する。駆動電圧制御部４ｂは制御部３の駆動モード制御信号によって、第２駆動モードによる駆動電圧に対応する実際の駆動電圧を制御する信号を出力する。すると、駆動電圧発生部４ｃは駆動電圧制御部４ｂから出力した制御信号によって、第２駆動モードに対応する実際の駆動電圧を発生する。これに従って、ドライバ４ｄは駆動電流制御部４ｂから出力した駆動電流及び駆動電圧発生部４ｃから発生した第２駆動モードによる実際の駆動電圧によって、パネル部５を第２駆動モードに駆動する（ＳＴ３，ＳＴ４）。
【００４４】
　一方、比較の結果、予め定めれている第１基準値より変換した電気的信号が大きいとき、制御部３は予め定めれている第２基準値より変換した電気的信号が大きいかどうかを検査する（ＳＴ１１）。検査の結果、予め定めれている第２基準値より変換した電気的信号が大きくなければ、制御部３の駆動モード選択部３ａは第３駆動モードを選択する。次いで、制御部３は第３駆動モードによる駆動モード制御信号を出力する（ＳＴ８）（当審注：【図４】では「ＳＴ１２」）。駆動部４は制御部３から出力した駆動モード制御信号によって、予め定めれている第３駆動モードによる駆動電流及び駆動電圧に対応する実際の駆動電圧を出力する（ＳＴ９，ＳＴ１０）。
【００４５】
　すなわち、駆動部４の駆動電流制御部４ａは制御部３の駆動モード制御信号によって、第３駆動モードによる駆動電流を制御する。そして、駆動電圧制御部４ｂは制御部３の駆動モード制御信号によって、第３駆動モードによる駆動電圧に対応する実際の駆動電圧を制御する信号を出力する。すると、駆動電圧発生部４ｃは駆動電圧制御部４ｂから出力した制御信号によって、第３駆動モードに対応する実際の駆動電圧を発生する。これに従って、ドライバ４ｄは駆動電流制御部４ｂから出力した駆動電流および駆動電圧発生部４ｃから発生した第３駆動モードによる実際の駆動電圧によって、パネル部５を第３駆動モードで駆動する（ＳＴ３，ＳＴ４）。
【００４６】
　一方、検査の結果、予め定めれている第２基準値より変換した電気的信号が大きければ、制御部３内の駆動モード選択部３ａは第４駆動モードを選択する。次いで、制御部３は第４駆動モードによる駆動モード制御信号を出力する（ＳＴ８）（当審注：【図４】では「ＳＴ１３」）。すると、駆動部４は制御部３から出力した駆動モード制御信号によって、第４駆動モードによる駆動電流および駆動電圧に対応する実際の駆動電圧を出力する（ＳＴ９，ＳＴ１０）。
【００４７】
　すなわち、駆動部４の駆動電流制御部４ａは制御部３の駆動モード制御信号によって、第４駆動モードによる駆動電流を制御する。そして、駆動電圧制御部４ｂは、制御部３の駆動モード制御信号によって、第４駆動モードによる駆動電圧に対応する実際の駆動電圧を制御する信号を出力する。すると、駆動電圧発生部４ｃは駆動電圧制御部４ｂから出力した制御信号によって、第４駆動モードに対応する実際の駆動電圧を発生する。
【００４８】
　これに従って、ドライバ４ｄは駆動電流制御部４ｂから出力した駆動電流および駆動電圧発生部４ｃから発生した第４モードによる実際の駆動電圧によって、パネル部５を第４駆動モードで駆動する（ＳＴ３，ＳＴ４）。
【００４９】
　次に、本発明の自己発光素子の駆動方法を携帯電話のような携帯型電子機器に適用した実施形態を説明すると次の通りである。一般的に、自己発光素子のうち有機ＥＬディスプレイは、プラズマディスプレイパネル（ＰＤＰ）や無機ＥＬディスプレイに比べ低電圧（約１０Ｖ以下）でも駆動可能であり、色感が優れているという長所があって、将来携帯型電子機器にも適用される可能性が高い。
【００５０】
　従って、駆動電圧の低い有機ＥＬディスプレイを有する携帯型電子機器に本発明の駆動方法を適用することで、通信端末機のような携帯型電子機器の使用時間を延ばすのにかなりの効果が予想される。すなわち、電力消耗の少ない有機ＥＬディスプレイパネルを有する携帯型電子機器に光センサーを取り付け、外部環境の光の強度を感知するようにして、それに対応する駆動モードを線形的に選択し、選択された駆動モードによる駆動電流および実際の駆動電圧に対応する発光輝度で有機ＥＬディスプレイパネルを自動に発光させるように製作する。
【００５１】
　このように、日差しの強度に従ってそれに対応する適切な駆動モードを選択して、有機ＥＬディスプレイパネルの発光輝度を調節するため、装置の電力消耗を減らせるだけでなく、視認性が良くなる。
【００５２】
　これを携帯電話に適用する場合、電話の未使用中は、第１駆動モードに自動選択され、低い発光輝度でパネルが発光する。この際、基本的な文字（時間、日にちなど）は確認可能であって、まったく問題はない。そして、室内で携帯電話を使用する場合は、第２駆動モードに自動選択され、第１駆動モードより高い発光輝度でパネルが発光する。
【００５３】
　もし、室外で使用時、曇っていたり、陰のある所で携帯電話を使用すると、第３駆動モードが自動選択され、第２駆動モードよりさらに高い発光輝度でパネルが発光する。また、晴れている場合は、日差しの強度が強いため、第４駆動モードを自動選択して、第３駆動モード時よりもさらに高い発光輝度でパネルが発光する。これは外部の照度が高い時、ディスプレイパネルの視認性が悪くなるのを補償するので、ユーザーが便利に使用できる。
【００５４】
　また、外部環境に従ってパネルの発光輝度を適切に調節するので、目に安定的だけでなく、電力消耗が少なくて携帯電話のバッテリーの寿命が長くなるというような長所がある。実施形態で説明した駆動モードを外部環境に従ってより細分化するとさらによい効果が期待できるだろう。
【００５５】
【発明の効果】
　以上のような本発明に従う自己発光素子の駆動装置及び方法は次のような効果がある。第一に、本発明は、外部の照度が高い時にのみ素子の発光輝度を高くするので電力の消耗が少ない。第二に、外部環境の変化に従って発光の輝度が自動調節されるので、目の疲れが少ない。第三に、駆動電流／電圧を同時に調節するので、最小消費電力になるよう制御が可能である。
【図面の簡単な説明】
【図１】
　本発明に従う自己発光素子の駆動装置の一実施形態を示す図面である。
【図２】
　本発明に従う自己発光素子の駆動方法の一実施形態を示すフローチャートである。
【図３】
　本発明に従う自己発光素子の駆動装置の他の実施形態を示す図面である
【図４】
　本発明に従う自己発光素子の駆動方法の他の実施形態を示すフローチャートである。
【符号の説明】
１：光センサー
２：光信号変換部
３：制御部
４：駆動部
５：パネル部
・・・【図１】〜【図４】（当審注：図面の記載は省略）」
　
（４−２−引用発明１）
　上記（４−１−引用文献１に記載された事項）に基づいて、引用文献１の【図１】に関する箇所を参酌しつつ、主に【図３】及び【図４】に関する箇所を総合すると、引用文献１には次の発明（以下、「引用発明１」という）が記載されていると認められる。
（引用発明１）
『有機ＥＬディスプレイパネル部（５）を駆動するための駆動部（４）及び制御部（３）及び光信号変換部（２）及び光センサ（１）を有する有機ＥＬディスプレイの駆動方法であって、
　光センサ（１）により外部環境の変化に従う光の強度が感知出力され、
　光信号変換部（２）により光センサ（１）の感知出力信号が電気的信号に変換出力され、
　制御部（３）では、有機ＥＬディスプレイを使用しているかどうかを表す信号と光信号変換部（２）で変換された信号とによって、駆動に必要な最適の駆動電流／電圧が設定された４つの駆動モードの内の１つの駆動モードが制御部（３）内の駆動モード選択部（３ａ）から選択されて、駆動モード制御信号として出力され、
　制御部（３）内の駆動モード選択部（３ａ）には、４つの駆動モードに対して設定された条件として、
　第１駆動モードは、暗い室内あるいは夜間の室外の場合に使用されるモードであって、駆動電流／電圧として１０μ電流／６Ｖ電圧が設定され、
　第２駆動モードは、明るい室内あるいは雨の室外の場合に使用されるモードであって、駆動電流／電圧として１００μ電流／９Ｖ電圧が設定され、
　第３駆動モードは、曇っていたり陰のある室外の場合に使用されるモードであって、駆動電流／電圧として３５０μ電流／１２Ｖ電圧が設定され、
　第４駆動モードは、日差しが強いときに使用されるモードであって、駆動電流／電圧として５００μ電流／１５Ｖ電圧が設定され、
　駆動部（４）内において、駆動電流制御部（４ａ）では制御部（３）の駆動モード制御信号によって駆動電流が制御され、駆動電圧制御部（４ｂ）からは制御部（３）の駆動モード制御信号に応じて実際の駆動電圧を制御する信号が出力され、駆動電圧発生部（４ｃ）では駆動電圧制御部（４ｂ）から出力された制御信号に対応する実際の駆動電圧が発生され、ドライバ（４ｄ）では駆動電流制御部（４ａ）から出力された駆動電流および駆動電圧発生部（４ｃ）から発生された実際の駆動電圧によって有機ＥＬディスプレイパネル部（５）が駆動され、
　図４の駆動方法のフローチャートに示されるように、
　制御部（３）により、有機ＥＬディスプレイが使用中か否かが検査され、使用中でなければ第１駆動モードによる駆動モード制御信号が選択出力され（ＳＴ１）、駆動部（４）により第１駆動モードによる実際の駆動電圧が出力され（ＳＴ２）、有機ＥＬディスプレイパネル部（５）が第１駆動モードで駆動され（ＳＴ３、ＳＴ４）、
　有機ＥＬディスプレイが使用中であれば、光センサ（１）により外部環境の変化に従う光の強度が感知出力され（ＳＴ５）、光信号変換部（２）により光センサ（１）の感知出力信号が電気的信号に変換出力され（ＳＴ６）、
　制御部（３）により、変換出力された電気的信号が第１基準値より大きいか否かが検査され（ＳＴ７）、
　第１基準値より変換出力された電気的信号が大きくなければ、制御部（３）により第２駆動モードによる駆動モード制御信号が選択出力され（ＳＴ８）、駆動部（４）により第２駆動モードによる実際の駆動電圧が出力され（ＳＴ９、ＳＴ１０）、有機ＥＬディスプレイパネル部（５）が第２駆動モードで駆動され（ＳＴ３、ＳＴ４）、
　第１基準値より変換出力された電気的信号が大きければ、制御部（３）により、第２基準値より変換出力された電気的信号が大きいか否かが検査され（ＳＴ１１）、
　第２基準値より変換出力された電気的信号が大きくなければ、制御部（３）により第３駆動モードによる駆動モード制御信号が選択出力され（ＳＴ１２）、駆動部（４）により第３駆動モードによる実際の駆動電圧を出力され（ＳＴ９、ＳＴ１０）、有機ＥＬディスプレイパネル部（５）が第３駆動モードで駆動され（ＳＴ３、ＳＴ４）、
　第２基準値より変換出力された電気的信号が大きければ、制御部（３）により第４駆動モードによる駆動モード制御信号が選択出力され（ＳＴ１３）、駆動部（４）により第４駆動モードによる実際の駆動電圧が出力され（ＳＴ９、ＳＴ１０）、有機ＥＬディスプレイパネル部（５）が第４駆動モードで駆動され（ＳＴ３、ＳＴ４）、
　外部環境の変化に従う光の強度に応じて発光の輝度が自動調節される有機ＥＬディスプレイの駆動方法。』
　
【第５−対比−本願発明−引用発明１】
　最初に、両発明の主要構成部に関して対比する。
　引用発明１の『有機ＥＬディスプレイパネル部（５）』は、本願発明の「ディスプレイパネル」に相当する。
　引用発明１の『駆動部（４）内において、・・・ドライバ（４ｄ）では駆動電流制御部（４ａ）から出力された駆動電流および駆動電圧発生部（４ｃ）から発生された実際の駆動電圧によって有機ＥＬディスプレイパネル部（５）が駆動され』るから、引用発明１の『駆動部（４）』は、本願発明の「駆動部及び電源部」に相当する。
　
　そして、引用発明１と本願発明とは、共に「有機ＥＬディスプレイの駆動方法」に関する発明である。
　以下、両発明の駆動方法についての発明特定事項に関して、まず引用発明１の『駆動モード』と本願発明の「モード」について対比し、次に引用発明１の『ＳＴ』と本願発明の「段階」について対比する。
　
（５−１−引用発明１の『駆動モード』と本願発明の「モード」について）
　引用発明１の発明特定事項として記載された各『駆動モード』と、本願発明の発明特定事項として記載された各「モード」とを対比する。
（５−１−１−引用発明１の『第１駆動モード』と
　　　　　　　　本願発明の「第１モード」について）
　引用発明１において『第１駆動モードは、暗い室内あるいは夜間の室外の場合に使用されるモードであって』、本願発明において「前記第１モードは、前記ディスプレイパネルが室内または夜間の室外にあるとき使用され」るから、引用発明１の『第１駆動モード』は、本願発明の「第１モード」に相当する。
（５−１−２−引用発明１の『第２駆動モード』と
　　　　　　　　本願発明の「第２モード」について）
　引用発明１において『第２駆動モードは、明るい室内あるいは雨の室外の場合に使用されるモードであって』、本願発明において「前記第２モードは、前記ディスプレイパネルが明るい室内または雨の降る室外にあるとき使用され」るから、引用発明１の『第２駆動モード』は、本願発明の「第２モード」に相当する。
（５−１−３−引用発明１の『第３駆動モード』と
　　　　　　　　本願発明の「第３モード」について）
　引用発明１において『第３駆動モードは、曇っていたり陰のある室外の場合に使用されるモードであって』、本願発明において「前記第３モードは、前記ディスプレイパネルが曇りや陰った室外にあるとき使用され」るから、引用発明１の『第３駆動モード』は、本願発明の「第３モード」に相当する。
（５−１−４−引用発明１の『第４駆動モード』と
　　　　　　　　本願発明の「第４モード」について）
　引用発明１において『第４駆動モードは、日差しが強いときに使用されるモードであって』、本願発明において「前記第４モードは、前記ディスプレイパネルが光の照度が高くなるところにあるとき使用される」から、引用発明１の『第４駆動モード』は、本願発明の「第４モード」に実質的に相当する。
　補足説明すると、引用発明１の『日差しが強いとき』と本願発明の「光の照度が高くなるところにあるとき」という表現上の差異は、外部環境光による最も明るい状況下が想定されている点で実質的な差異には当たらない。
　
（５−２−引用発明１の『ＳＴ』と本願発明の「段階」について）
　既述のとおり、引用発明１の各『駆動モード』と本願発明の各「モード」には相当関係があるから、これを踏まえて、さらに、引用発明１の発明特定事項として記載された各『ＳＴ』と、本願発明の発明特定事項として記載された各「段階」とを対比する。
（５−２−１−引用発明１の『ＳＴ５、６』と
　　　　　　　　本願発明の「Ａ段階」について）
　引用発明１の『光センサ（１）により外部環境の変化に従う光の強度が感知出力され（ＳＴ５）、光信号変換部（２）により光センサ（１）の感知出力信号が電気的信号に変換出力され（ＳＴ６）』る段階は、本願発明「外部環境の光の照度を感知して、その感知された光を電気信号に変換するＡ段階」と、外部環境の光の照度を感知して、その感知された光を電気信号に変換する段階である点で共通する。
（５−２−２−引用発明１の『ＳＴ』と
　　　　　　　　本願発明の「Ｂ段階」について）
　引用発明１には、本願発明の「前記電気信号をアナログ信号からデジタル信号に変換するＢ段階」に相当する『ＳＴ』の段階がない。
（５−２−３−引用発明１の『ＳＴ７』と
　　　　　　　　本願発明の「Ｃ段階」について）
　引用発明１の『制御部（３）により、変換出力された電気的信号が第１基準値より大きいか否かが検査され（ＳＴ７）』る段階は、本願発明の「前記デジタル信号に変換された電気信号の値と第１基準値を比較するＣ段階」と、変換された電気信号の値と第１基準値を比較する段階である点で共通する。
（５−２−４−引用発明１の『ＳＴ８』と
　　　　　　　　本願発明の「Ｄ−１段階」について）
　引用発明１の『第１基準値より変換出力された電気的信号が大きくなければ、制御部（３）により第２駆動モードによる駆動モード制御信号が選択出力され（ＳＴ８）』る段階は、本願発明の「前記Ｃ段階で電気信号の値が第１基準値より小さければ、第１及び第２モードを選択するＤ−１段階」と、変換された電気信号の値が第１基準値より小さければ、第２モードを選択する段階である点で共通する。
（５−２−５−引用発明１の『ＳＴ７』と
　　　　　　　　本願発明の「Ｄ−２段階」について）
　引用発明１において『第１基準値より変換出力された電気的信号が大きければ、制御部（３）により、第２基準値より変換出力された電気的信号が大きいか否かが検査され（ＳＴ１１）、第２基準値より変換出力された電気的信号が大きくなければ、制御部（３）により第３駆動モードによる駆動モード制御信号が選択出力され（ＳＴ１２）・・・第２基準値より変換出力された電気的信号が大きければ、制御部（３）により第４駆動モードによる駆動モード制御信号が選択出力され（ＳＴ１３）』るから、引用発明１の『制御部（３）により、変換出力された電気的信号が第１基準値より大きいか否かが検査され（ＳＴ７）』『第１基準値より変換出力された電気的信号が大』と検査される段階は、本願発明の「前記Ｃ段階で電気信号の値が第１基準値より大きければ、第３及び第４モードを選択するＤ−２段階」と、変換された電気信号の値が第１基準値より大きければ、第３及び第４モードを選択する段階である点で共通する。
（５−２−６−引用発明１の『ＳＴ１〜４』と
　　　　　　　　本願発明の「Ｅ−１段階」及び「Ｆ−１段階」について）
　引用発明１の『制御部（３）により、有機ＥＬディスプレイが使用中か否かが検査され、使用中でなければ第１駆動モードによる駆動モード制御信号が選択出力され（ＳＴ１）、駆動部（４）により第１駆動モードによる実際の駆動電圧が出力され（ＳＴ２）、有機ＥＬディスプレイパネル部（５）が第１駆動モードで駆動され（ＳＴ３、ＳＴ４）』る段階は、本願発明の「前記Ｄ−１段階以後、ディスプレイ装置が現在使用中であるかを判断して、その判断結果、前記ディスプレイ装置が現在未使用中である場合は、第１モードを選択し、選択された第１モードにしたがってディスプレイパネルの輝度を制御するＥ−１段階」及び「前記Ｄ−２段階以後、ディスプレイ装置が現在使用中であるかを判断して、その判断結果、前記ディスプレイ装置が現在未使用中である場合は、第１モードを選択し、選択された第１モードにしたがってディスプレイパネルの輝度を制御するＦ−１段階」と、ディスプレイ装置が現在使用中であるかを判断して、その判断結果、前記ディスプレイ装置が現在未使用中である場合は、第１モードを選択し、選択された第１モードにしたがってディスプレイパネルの輝度を制御する段階である点で共通する。
（５−２−７−引用発明１の『ＳＴ１、５〜１０、３、４』と
　　　　　　　　本願発明の「Ｅ−２段階」について）
　引用発明１の『制御部（３）により、有機ＥＬディスプレイが使用中か否かが検査され、使用中でなければ第１駆動モードによる駆動モード制御信号が選択出力され（ＳＴ１）』『有機ＥＬディスプレイが使用中であれば、光センサ（１）により外部環境の変化に従う光の強度が感知出力され（ＳＴ５）、光信号変換部（２）により光センサ（１）の感知出力信号が電気的信号に変換出力され（ＳＴ６）、制御部（３）により、変換出力された電気的信号が第１基準値より大きいか否かが検査され（ＳＴ７）、第１基準値より変換出力された電気的信号が大きくなければ、制御部（３）により第２駆動モードによる駆動モード制御信号が選択出力され（ＳＴ８）、駆動部（４）により第２駆動モードによる実際の駆動電圧が出力され（ＳＴ９、ＳＴ１０）、有機ＥＬディスプレイパネル部（５）が第２駆動モードで駆動され（ＳＴ３、ＳＴ４）』る段階は、本願発明の「前記Ｄ−１段階以後、ディスプレイ装置が現在使用中であるかを判断して、その判断結果、前記ディスプレイ装置が現在使用中であれば、第２モードを選択し、選択された第２モードにしたがってディスプレイパネルの輝度を制御するＥ−２段階」と、変換された電気信号の値が第１基準値より小さくて、ディスプレイ装置が現在使用中であれば、第２モードを選択し、選択された第２モードにしたがってディスプレイパネルの輝度を制御する段階である点で共通する。
（５−２−８−引用発明１の『ＳＴ１１』と
　　　　　　　　本願発明の「Ｆ−２段階」について）
　引用発明１において『ＳＴ１』で有機ＥＬディスプレイが使用中であると判断された後に『第１基準値より変換出力された電気的信号が大きければ、制御部（３）により、第２基準値より変換出力された電気的信号が大きいか否かが検査され（ＳＴ１１）』るから、引用発明１の『ＳＴ１１』段階は、本願発明の「前記Ｄ−２段階以後、ディスプレイ装置が現在使用中であるかを判断して、その判断結果、前記ディスプレイ装置が現在使用中であれば、前記Ｄ−２段階での電気信号の値と第２基準値を比較するＦ−２段階」と、ディスプレイ装置が現在使用中であれば、変換された電気信号の値と第２基準値を比較する段階である点で共通する。
（５−２−９−引用発明１の『ＳＴ１１、１２、９、１０、３、４』と
　　　　　　　　本願発明の「Ｇ−１段階」について）
　引用発明１の『第１基準値より変換出力された電気的信号が大きければ、制御部（３）により、第２基準値より変換出力された電気的信号が大きいか否かが検査され（ＳＴ１１）、第２基準値より変換出力された電気的信号が大きくなければ、制御部（３）により第３駆動モードによる駆動モード制御信号が選択出力され（ＳＴ１２）、駆動部（４）により第３駆動モードによる実際の駆動電圧を出力され（ＳＴ９、ＳＴ１０）、有機ＥＬディスプレイパネル部（５）が第３駆動モードで駆動され（ＳＴ３、ＳＴ４）』る段階は、本願発明の「前記Ｆ−２段階で電気信号の値が第２基準値より小さければ、前記第３モードを選択し、選択された第３モードにしたがってディスプレイパネルの輝度を制御するＧ−１段階」と、変換された電気信号の値が第２基準値より小さければ、第３モードを選択し、選択された第３モードにしたがってディスプレイパネルの輝度を制御する段階である点で共通する。
（５−２−１０−引用発明１の『ＳＴ１１、１３、９、１０、３、４』と
　　　　　　　　　本願発明の「Ｇ−２段階」について）
　引用発明１の『第１基準値より変換出力された電気的信号が大きければ、制御部（３）により、第２基準値より変換出力された電気的信号が大きいか否かが検査され（ＳＴ１１）』『第２基準値より変換出力された電気的信号が大きければ、制御部（３）により第４駆動モードによる駆動モード制御信号が選択出力され（ＳＴ１３）、駆動部（４）により第４駆動モードによる実際の駆動電圧が出力され（ＳＴ９、ＳＴ１０）、有機ＥＬディスプレイパネル部（５）が第４駆動モードで駆動され（ＳＴ３、ＳＴ４）』る段階は、本願発明の「前記Ｆ−２段階で電気信号の値が第２基準値より大きければ、前記第４モードを選択し、選択された第４モードにしたがってディスプレイパネルの輝度を制御するＧ−２段階」と、変換された電気信号の値が第２基準値より大きければ、第４モードを選択し、選択された第４モードにしたがってディスプレイパネルの輝度を制御する段階である点で共通する。
　
（５−３−総合的対比−両発明の一致点及び相違点）
　既述の対比を総合し、本願発明と引用発明１との実質的な一致点及び相違点を、本願発明の発明特定事項に関する用語を優先して記述すると、次のとおりである。
　なお、「段階」に付された英数字及び「前記」の記載は割愛した。
（一致点）
「ディスプレイパネルを駆動するための駆動部及び電源部を有する有機ＥＬディスプレイの駆動方法であって、
　外部環境の光の照度を感知して、その感知された光を電気信号に変換する段階と、
　変換された電気信号の値と第１基準値を比較する段階と、
　変換された電気信号の値が第１基準値より大きければ、第３及び第４モードを選択する段階と、
　ディスプレイ装置が現在使用中であるかを判断して、その判断結果、ディスプレイ装置が現在未使用中である場合は、第１モードを選択し、選択された第１モードにしたがってディスプレイパネルの輝度を制御する段階と、
　変換された電気信号の値が第１基準値より小さくて、ディスプレイ装置が現在使用中であれば、第２モードを選択し、選択された第２モードにしたがってディスプレイパネルの輝度を制御する段階と、
　ディスプレイ装置が現在使用中であれば、変換された電気信号の値と第２基準値を比較する段階と、
　変換された電気信号の値が第２基準値より小さければ、前記第３モードを選択し、選択された第３モードにしたがってディスプレイパネルの輝度を制御する段階と、
　変換された電気信号の値が第２基準値より大きければ、前記第４モードを選択し、選択された第４モードにしたがってディスプレイパネルの輝度を制御する段階とを含み、
　第１モードは、ディスプレイパネルが室内または夜間の室外にあるとき使用され、
　第２モードは、ディスプレイパネルが明るい室内または雨の降る室外にあるとき使用され、
　第３モードは、ディスプレイパネルが曇りや陰った室外にあるとき使用され、
　第４モードは、ディスプレイパネルが光の照度が高くなるところにあるとき使用される、
　有機ＥＬディスプレイの駆動方法。」
　
（相違点１）
　外部環境の光の照度を感知して、その感知された光を電気信号に変換した後、本願発明では、電気信号をアナログ信号からデジタル信号に変換する段階を経て、外部環境の光の照度のデジタル信号に基づいて以後の信号処理がなされるのに対し、引用発明１では、本願発明のような特定がされていない点。
 
（相違点２）
　本願発明では、最初に外部光照度を電気信号に変換し、変換された電気信号の値と第１基準値とを比較した後、ディスプレイが使用中であるか否かを判断して、変換された電気信号の値と第１基準値との比較結果に関係なくディスプレイが未使用中ならば第１モードを選択し、変換された電気信号の値が第１基準値より大きくなくてディスプレイが使用中ならば第２モードを選択し、さらに変換された電気信号の値が第１基準値より大きくてディスプレイが使用中であれば変換された電気信号の値と第２基準値とを比較することにより、第３、４モードを選択するものであるのに対し、引用発明１では、最初にディスプレイが使用中であるか否かを判断して、ディスプレイが未使用中ならば第１モードを選択し、次にディスプレイが使用中ならば、外部光照度を電気信号に変換し、変換された電気信号の値と第１、２基準値とを比較することにより、第２、３、４モードを選択する点。
　すなわち、本願発明では、最初に外部光照度について判断し、次にディスプレイの使用・不使用について判断するのに対し、引用発明１では、最初にディスプレイの使用・不使用について判断し、次に外部光照度について判断している点。
　
【第６−当審の判断−相違点について−容易想到性】
（６−１−相違点１について）
　引用文献２である特開２００１−１００６９７号公報には、次の記載がある。
「・・・
【発明の名称】表示装置
・・・
【特許請求の範囲】
【請求項１】
  情報を表示するための複数の画素を有する表示器と、
前記表示器を駆動する駆動手段と、
前記表示器に対する照度に対応した値を検出する照度検出手段と、
前記照度検出手段の検出結果に基づいて、前記表示器の輝度を制御する輝度制御手段とを備えたことを特徴とする表示装置。
【請求項２】
  前記表示器は、複数の画素を構成する複数の発光素子を有することを特徴とする請求項１記載の表示装置。
【請求項３】
  前記発光素子は、有機エレクトロルミネセント素子であることを特徴とする請求項２記載の表示装置。
・・・
【発明の詳細な説明】
【０００１】
【発明の属する技術分野】
　本発明は、情報を表示するための複数の画素を有する表示器を備えた表示装置に関する。
【０００２】
【従来の技術】
　近年、有機エレクトロルミネセント（Electroluminescent；以下、ＥＬとも記す。）素子を用いた有機ＥＬディスプレイが、以下の理由等から注目を集めてきている。すなわち、有機ＥＬディスプレイは、自発光タイプであるため、バックライトが必要なく、そのため、有機ＥＬディスプレイを含む表示システムの薄型化を可能にする。また、有機ＥＬディスプレイは、高輝度、高視野角および応答特性のよいディスプレイとなる。
【０００３】
　有機ＥＬディスプレイを用いた有機ＥＬ表示装置は、映像を表示させるための有機ＥＬディスプレイと、この有機ＥＬディスプレイを駆動するための駆動部と、表示データの入力、処理および駆動部の制御等を行う制御部と、駆動部および制御部に所定の電圧を供給する電源部とを備えている。
・・・
【００１５】
【発明が解決しようとする課題】
・・・
【００２２】
　ところで、有機ＥＬディスプレイの発光輝度を常に一定にした場合には、明るい場所と暗い場所、屋内と屋外等、周囲の明るさの異なる複数の環境で有機ＥＬ表示装置を使用する場合には、周囲の明るさによっては、利用者が有機ＥＬディスプレイの表示内容を認識しにくくなる場合がある。
【００２３】
　これを防止するために、有機ＥＬディスプレイの発光輝度を手動で調整できるようにすることも考えられるが、この場合には調整が煩雑になるという問題点がある。
【００２４】
　また、なるべく多くの環境の下で有機ＥＬディスプレイの表示内容を認識し易くするために、有機ＥＬディスプレイの発光輝度を大きめに設定することも考えられるが、この場合には、消費電力の無駄が生じたり、前述のような有機ＥＬディスプレイの発熱による問題が顕著になったりするという問題点がある。
【００２５】
　本発明はかかる問題点に鑑みてなされたもので、その第１の目的は、周囲の明るさに応じた最適な輝度で表示を行うことができるようにした表示装置を提供することにある。
・・・
【００２７】
【課題を解決するための手段】
　本発明の第１の表示装置は、情報を表示するための複数の画素を有する表示器と、表示器を駆動する駆動手段と、表示器に対する照度に対応した値を検出する照度検出手段と、照度検出手段の検出結果に基づいて、表示器の輝度を制御する輝度制御手段とを備えたものである。
【００２８】
　本発明の第１の表示装置では、照度検出手段によって表示器に対する照度に対応した値が検出され、この照度検出手段の検出結果に基づいて、輝度制御手段によって表示器の輝度が制御される。
【００２９】
　本発明の第１の表示装置において、表示器は、複数の画素を構成する複数の発光素子を有していてもよい。この場合、発光素子は有機エレクトロルミネセント素子であってもよい。
・・・
【００４２】
【発明の実施の形態】
　以下、本発明の実施の形態について図面を参照して詳細に説明する。
［第１の実施の形態］
　図１は、本発明の第１の実施の形態に係る表示装置の全体の構成を示す回路図である。本実施の形態に係る表示装置は、定電流駆動を行うようにした有機ＥＬ表示装置の例である。
・・・
【００５４】
　本実施の形態に係る表示装置は、更に、有機ＥＬディスプレイ１に対する照度に対応した値を検出する照度検出部６と、輝度検出用表示部１ｂの輝度を検出する輝度検出部７とを備えている。照度検出部６は本発明における照度検出手段に対応し、輝度検出部７は本発明における輝度検出手段に対応する。
【００５５】
　照度検出部６は、有機ＥＬディスプレイ１に対する照度を検出するためのフォトセンサ３１と、このフォトセンサ３１の出力信号を増幅する増幅回路３２と、この増幅回路３２の出力信号をサンプル・ホールドするサンプル・ホールド回路３３とを有している。ここでは、フォトセンサ３１としてフォトダイオードを使用するものとする。増幅回路３２は、オペアンプＩＣ１１とオペアンプＩＣ１２とを有している。オペアンプＩＣ１１の一方の入力端は、フォトセンサ３１のアノードに接続されていると共に、抵抗Ｒ１１を介してオペアンプＩＣ１１の出力端に接続されている。なお、フォトセンサ３１のカソードは接地されている。オペアンプＩＣ１１の他方の入力端は、抵抗Ｒ１３の一端に接続されていると共に、抵抗Ｒ１２を介してオペアンプＩＣ１１の出力端に接続されている。オペアンプＩＣ１２の一方の入力端は、抵抗Ｒ１３の他端に接続されていると共に、抵抗Ｒ１４を介してオペアンプＩＣ１２の出力端に接続されている。オペアンプＩＣ１２の他方の入力端は、抵抗Ｒ１５を介して接地されている。
【００５６】
　オペアンプＩＣ１１および抵抗Ｒ１１，Ｒ１２は、フォトセンサ３１の出力電流を増幅する電流増幅器を構成している。オペアンプＩＣ１２および抵抗Ｒ１３，Ｒ１４，Ｒ１５は、電流増幅器の出力電流を増幅して電圧信号として出力する増幅器を構成している。オペアンプＩＣ１２の出力端は、サンプル・ホールド回路３３の入力端に接続されている。サンプル・ホールド回路３３の出力信号は、入力信号A in1としてＭＰＵ１２のＡ／Ｄ変換器１８に入力されるようになっている。
【００５７】
　輝度検出部７は、輝度検出用表示部１ｂの輝度を検出するためのフォトセンサ４１と、このフォトセンサ４１の出力信号を増幅する増幅回路４２と、この増幅回路４２の出力信号をサンプル・ホールドするサンプル・ホールド回路４３とを有している。ここでは、フォトセンサ４１としてフォトダイオードを使用するものとする。増幅回路４２は、オペアンプＩＣ２１とオペアンプＩＣ２２とを有している。オペアンプＩＣ２１の一方の入力端は、フォトセンサ４１のアノードに接続されていると共に、抵抗Ｒ２１を介してオペアンプＩＣ２１の出力端に接続されている。なお、フォトセンサ４１のカソードは接地されている。オペアンプＩＣ２１の他方の入力端は、抵抗Ｒ２３の一端に接続されていると共に、抵抗Ｒ２２を介してオペアンプＩＣ２１の出力端に接続されている。オペアンプＩＣ２２の一方の入力端は、抵抗Ｒ２３の他端に接続されていると共に、抵抗Ｒ２４を介してオペアンプＩＣ２２の出力端に接続されている。オペアンプＩＣ２２の他方の入力端は、抵抗Ｒ２５を介して接地されている。
【００５８】
　オペアンプＩＣ２１および抵抗Ｒ２１，Ｒ２２は、フォトセンサ４１の出力電流を増幅する電流増幅器を構成している。オペアンプＩＣ２２および抵抗Ｒ２３，Ｒ２４，Ｒ２５は、電流増幅器の出力電流を増幅して電圧信号として出力する増幅器を構成している。オペアンプＩＣ２２の出力端は、サンプル・ホールド回路４３の入力端に接続されている。サンプル・ホールド回路４３の出力信号は、入力信号A in2としてＭＰＵ１２のＡ／Ｄ変換器１８に入力されるようになっている。
【００５９】
　ＭＰＵ１２は、入力信号A in1と入力信号A in2を一定時間毎に取り込み、これらをＡ／Ｄ変換器１８によってＡ／Ｄ変換し、変換後のデジタルデータを、予め作成されている基準データと比較することによって輝度設定データLCを生成し、この輝度設定データLCを入出力ポート２０より出力するようになっている。ＭＰＵ１２は、本発明における輝度制御手段および輝度補正手段に対応すると共に、本発明における制御部に対応する。従って、本実施の形態では、制御部は輝度制御手段および輝度補正手段を兼ねている。
・・・
【０１４５】
【発明の効果】
　以上説明したように請求項１ないし７のいずれかに記載の表示装置によれば、照度検出手段によって表示器に対する照度に対応した値を検出し、この照度検出手段の検出結果に基づいて、輝度制御手段によって表示器の輝度を制御するようにしたので、周囲の明るさに応じた最適な輝度で表示を行うことが可能になるという効果を奏する。
・・・」
　
　引用文献２の上記記載から、次の発明（以下、「引用発明２」という）が認定できる。
（引用発明２）
『外部環境の光の照度を感知して、その感知された光を電気信号に変換した後、その電気信号をアナログ信号からデジタル信号に変換処理して、外部環境の光の照度のデジタル信号に基づいて以後の信号処理をすることで、有機ＥＬディスプレイを最適に輝度制御すること。』
　
　引用発明１も引用発明２も、外部環境の光の照度を感知して、その感知された光を電気信号に変換処理して、有機ＥＬディスプレイを最適に輝度制御する点で共通するものである。
　よって、引用発明１において、外部環境の光の照度を感知して、その感知された光を電気信号に変換した後、引用発明２を適用することにより、その電気信号をアナログ信号からデジタル信号に変換処理して、外部環境の光の照度のデジタル信号に基づいて以後の信号処理をすることで、相違点１に係る発明特定事項とすることは、当業者が容易に成し得ることである。
　
（６−２−相違点２について）
　既述のとおり、引用発明１においても、本願発明においても、ディスプレイが使用中であるか否かと、外部光照度値と第１、２基準値との比較により、第１〜４モードが選択されるものであって、それら選択条件も選択結果も、以下に再記するとおり一致している。
　両発明において、ディスプレイが未使用中ならば、外部光照度値に関係なく、第１モードが選択される。
　両発明において、ディスプレイが使用中で、外部光照度値が第１基準値より大きくなければ、第２モードが選択される。
  両発明において、ディスプレイが使用中で、外部光照度値が第１基準値より大きくて第２基準値より大きくなければ、第３モードが選択される。
  両発明において、ディスプレイが使用中で、外部光照度値が第２基準値より大きければ、第４モードが選択される。
　
　さらに、引用文献１に「・・・【００４１】また、各駆動モードにおいて自己発光素子のパネルは、電力が印加される限り、常に、或いは必要な場合にのみ発光することができる。【００４２】例えば、第１および第２駆動モードの場合は常にパネルを発光するようにして、第３および第４駆動モードの場合には、画面を見る必要のある場合にのみ一定の時間パネルを発光するようにする。したがって、必要以上に電力を消耗せずに適切な視認性を維持できる。このような機能を携帯電話のような携帯形電子製品に利用するとさらに効果的である。・・・」と記載されているように、引用発明１においても、電力が印加される限り、ディスプレイの使用不使用も考慮して、常に外部光照度値に応じてディスプレイの最適輝度制御ができることは明らかである。
　
　なるほど、引用発明１は、ディスプレイが使用中か否か判断するのに先立って、外部光照度値を得るようにしたものではない。
　しかしながら、引用発明１の各モード選択条件と選択結果及び最適輝度制御の作用効果を勘案すれば、２つの選択条件のうちの外部光照度についての判断を最初に行い、次にディスプレイの使用・不使用についての判断を行うようにしても良いことは、この種のアルゴリズム設計上明らかな事項でもあり、すなわち、引用発明１において、最初に外部光照度を電気信号に変換し、変換された電気信号の値と第１基準値とを比較した後、ディスプレイが使用中であるか否かを判断して、変換された電気信号の値と第１基準値との比較結果に関係なくディスプレイが未使用中ならば第１モードを選択し、変換された電気信号の値が第１基準値より大きくなくてディスプレイが使用中ならば第２モードを選択し、さらに変換された電気信号の値が第１基準値より大きくてディスプレイが使用中であれば変換された電気信号の値と第２基準値とを比較することにより、第３、４モードを選択することで、相違点２に係る発明特定事項とすることは、当業者が容易に成し得ることである。
　
（６−３−容易想到性についての総合的判断）
　既述のとおり、本願発明の作用効果も、引用発明１及び引用発明２から、当業者が予測可能なものであって格別のものではない。
　よって、本願発明は、引用発明１及び引用発明２に基づいて、当業者が容易に発明をすることができたものである。
　
【第７−審判請求人の主張について】
　ディスプレイの使用可否にかかわらず常に外部光を感知し、ディスプレイを駆動するのに先立ってディスプレイの使用可否をチェックすることで、最適設定の時間を最小化する結果は、引用文献１から得ることができず、引用文献１は、主目的が電力消費を減少させることであるから、stepの手順を変更する動機（motivation）も提供しないので、本願発明は、引用文献１、２から当業者が容易に発明をすることができたものではないと、審判請求書において審判請求人は概略主張する。
　しかし、引用発明１においても、駆動装置に電力が印加されている限り、外部光照度を感知していると解するのが自然であり、本願発明の容易想到性については、上記【第６−当審の判断−相違点について−容易想到性】で説示したとおりであって、審判請求人の主張は採用できない。
　
【第８−むすび】 
　以上のとおり、本願発明は、引用発明１及び引用発明２に基づいて、当業者が容易に発明をすることができたものであるから、特許法第２９条第２項の規定により特許を受けることができない。
　したがって、本件出願は拒絶すべきものである。
　よって、結論のとおり審決する。